(57)【特許請求の範囲】
【請求項１】
少なくとも２枚の帳票からなり且つ２枚目の帳票をＦＡＸで送信するのに使用するノンカーボン複写帳票において、１枚目の帳票には帳票名、記入項目名、読取用記入枠、罫線を含む全ての帳票フオーマツトが印刷され、前記２枚目の帳票にはタイミングマークと帳票名が印刷されるかないしはタイミングマークと帳票名と記入項目名が印刷された構成からなることを特徴とするＦＡＸ−ＯＣＲ複写帳票。
【請求項２】
前記１枚目の帳票と前記２枚目の帳票が、前記２枚目の帳票に複写される文字ないし記号が４００ｎｍ〜１５００ｎｍの範囲の光吸収領域をもつように構成されたノンカーボン複写紙からなることを特徴とする請求項１記載のＦＡＸ−ＯＣＲ複写帳票。
【発明の詳細な説明】
【０００１】
【発明の属する技術分野】
本発明はＦＡＸで送信してＯＣＲで読取る際に読取り精度を良くしたＦＡＸ−ＯＣＲ用の複写帳票に関する。
【０００２】
【従来の技術】
従来、ＦＡＸ−ＯＣＲ用の複写帳票としては、１枚目をＦＡＸにて送信するための帳票とし、罫線および読取用記入枠をブルー系のドロツプアウトカラーにて印刷することにより、ＯＣＲでの読み取り不良をなくすように工夫しているのが普通であるが、使用するＦＡＸは多種多様であるので、最も読み取り感度のよいＦＡＸを使用した場合においても読み取られることのないように、罫線および読取用記入枠をブルー系のドロツプアウトカラーにて淡く印刷する必要があつた。そのために人間の目には非常に読みにくい印刷帳票になつてしまい、読取用記入枠に文字を記入する際に、読取用記入枠内に正確に書き込めなかつたり、読取用記入枠を無視したはみ出した記入等が行われ、ＯＣＲでの読み取りの不良率がアツプするという欠点があつた。更にノンカーボン複写紙を使用した複写帳票においては、複写された文字ないし記号が、ＦＡＸの機種によつては正常に読み取りできないという欠点があつた。
【０００３】
【発明が解決しようとする課題】
本発明の目的は、あらゆる機種のＦＡＸにて送信ができる上に、ＯＣＲでの読取り不良を低減することができると共に、ＦＡＸでの送信時間を短縮できるＦＡＸ−ＯＣＲ複写帳票を提供することにある。
【０００４】
【課題を解決するための手段】
少なくとも２枚の帳票からなり且つ２枚目の帳票をＦＡＸで送信するのに使用するノンカーボン複写帳票において、１枚目の帳票には帳票名、記入項目名、読取用記入枠、罫線を含む全ての帳票フオーマツトが印刷され、前記２枚目の帳票にはタイミングマークと帳票名が印刷されるかないしはタイミングマークと帳票名と記入項目名が印刷された構成からなることを特徴とするＦＡＸ−ＯＣＲ複写帳票である。
【０００５】
前記１枚目の帳票と前記２枚目の帳票が、前記２枚目の帳票に複写される文字ないし記号が４００ｎｍ〜１５００ｎｍの範囲の光吸収領域をもつように構成されたノンカーボン複写紙からなることを特徴とする上記のＦＡＸ−ＯＣＲ複写帳票である。
【０００６】
【発明の実施の形態】
図１は本発明の１枚目の帳票のフオーマツトの実施例を示す部分平面図、図２は本発明の２枚目の帳票のフオーマツトの実施例を示す部分平面図、図３は本発明の２枚目の帳票のフオーマツトの他の実施例を示す部分平面図、図４は２枚の帳票からなるＦＡＸ−ＯＣＲ複写帳票の断面構成を示す図、図５は３枚の帳票からなるＦＡＸ−ＯＣＲ複写帳票の断面構成を示す図であり、１は１枚目の帳票、２は２枚目の帳票、３は３枚目の帳票、４は帳票名、５は記入項目名、６は罫線、７は読取用記入枠、８はタイミングマーク、９は発色剤マイクロカプセル層、１０は顕色剤層をそれぞれ表す。
【０００７】
本発明のＦＡＸ−ＯＣＲ複写帳票における１枚目の帳票１には、図１に示すとおり、帳票名４、記入項目名５，罫線６，読取用記入枠７その他の固定事項等の全ての帳票フオーマツトが印刷されている。２枚目の帳票２には、図２に示すとおり、タイミングマーク８と帳票名のみが印刷されその他の印刷が省略されている。また、２枚目の帳票２には、図３に示すように、タイミングマーク８と帳票名と記入項目名５を印刷してもよい。本発明のＦＡＸ−ＯＣＲ複写帳票は上記の１枚目の帳票１と２枚目の帳票２とを見当を合わせて切り離し可能に積層して構成される。
【０００８】
上記のような構成とすることにより、１枚目の帳票１の読取用記入枠７内に文字等を記入すると、２枚目の帳票２の表面のタイミングマーク８に対応した位置に読取用記入文字が複写される。複写された読取用記入文字の周縁領域には印刷が施されていないので、ＦＡＸにて送信した後ＯＣＲにて読み取る際に、読取用記入文字の周縁領域に読み取りを阻害するものがないので読み取り精度がよくなり読み取り不良がなくなる。２枚目の帳票２には帳票名４ないしは帳票名４と記入項目名５が印刷されているので、ＦＡＸで送信されてきた帳票が何の帳票であるのか、ないしはどういう項目が記入されているのか容易に判別できる。
【０００９】
本発明のＦＡＸ−ＯＣＲ複写帳票における２枚組の複写帳票の構成は図４に示すように、紙基材の下面に発色剤マイクロカプセル層９が塗布されたノンカーボン複写紙の上用紙で１枚目の帳票１を構成し、紙基材の上面に顕色剤層１０が塗布されたノンカーボン複写紙の下用紙にて２枚目の帳票２を構成する。ノンカーボン複写紙としては一般的に使用されているものを使用することもできるが、その場合には、ＦＡＸ機種によつては正常な濃度で送信が行われないこともある。したがつて、ノンカーボン複写紙としては、複写される文字ないし記号が４００ｎｍ〜１５００ｎｍの範囲の光吸収領域をもつように構成された特殊ノンカーボン複写紙を使用するのが好ましい。
【００１０】
１枚目の帳票１および２枚目の帳票２の両方を特殊ノンカーボン複写紙としてもよいし、１枚目の帳票１となるノンカーボン複写紙の上用紙のみを上記の特殊ノンカーボン複写紙とし、２枚目の帳票２となるノンカーボン複写紙の下用紙を通常のノンカーボン複写紙としてもよい。上記のような特殊ノンカーボン複写紙としては、例えば、富士写真フイルム株式会社製「オプティックリード」、三菱製紙株式会社製「ＯＣＲイメージ・スキャン」等が使用できる。そうすることによりあらゆる機種のＦＡＸにて送信が可能になる。
【００１１】
本発明のＦＡＸ−ＯＣＲ複写帳票における３枚組の複写帳票の構成は図４に示すように、１枚目の帳票１を紙基材の下面に発色剤マイクロカプセル層９が塗布されたノンカーボン複写紙の上用紙で構成し、２枚目の帳票２を紙基材の上面に顕色剤層１０がまた下面に発色剤マイクロカプセル層９がそれぞれ塗布されたノンカーボン複写紙の中用紙にて構成し、３枚目の帳票３を紙基材の上面に顕色剤層１０が塗布されたノンカーボン複写紙の下用紙にて構成される。複写帳票の枚数を増やす場合にはノンカーボン複写紙の中用紙を増やせばよい。３枚組の複写帳票の場合においてもカーボン複写紙とし一般的に使用されているものを使用することもできるが、その場合には、ＦＡＸの機種によつては正常な濃度で送信が行われないこともある。したがつて、３枚組の複写帳票の場合には、１枚目の帳票１および２枚目の帳票２を特殊ノンカーボン複写紙とするか、１枚目の帳票１のみを特殊ノンカーボン複写紙にて構成すればよい。
【００１２】
【発明の効果】
少なくとも２枚の帳票からなり２枚目をＦＡＸで送信するために使用するノンカーボン複写帳票において、１枚目の帳票には帳票名、記入項目名、読取用記入枠、罫線を含む全ての帳票フオーマツトが印刷され、２枚目の帳票にはタイミングマークと帳票名ないしはタイミングマークと帳票名と記入項目名が印刷されていると共に、１枚目の帳票と２枚目の帳票を構成するノンカーボン複写紙を、複写された文字、記号等が４００ｎｍ〜１５００ｎｍの範囲の光吸収領域をもつ特殊ノンカーボン複写紙にて構成したＦＡＸ−ＯＣＲ複写帳票とすることにより、ＦＡＸ送信に使用する２枚目の帳票には、読取用記入文字の周縁領域にＯＣＲによる読取りを阻害する印刷が施されていないため、ＯＣＲによる読取り精度が向上し読取り不良がなくなる。また、特殊ノンカーボン複写紙を使用することで、複写された文字、記号等が４００ｎｍ〜１５００ｎｍの範囲の光吸収領域をもつので、いかなるＦＡＸ機種によつて送信した場合においても、送信された帳票の文字、記号等の濃度を低下させることがない。更に、ＦＡＸ送信に使用する２枚目の帳票には読取用記入枠、罫線等の印刷が施されていないのでＦＡＸでの送信時間を短縮できる効果がある。
【図面の簡単な説明】
【図１】本発明の１枚目の帳票のフオーマツトの実施例を示す部分平面図。
【図２】本発明の２枚目の帳票のフオーマツトの実施例を示す部分平面図。
【図３】本発明の２枚目の帳票のフオーマツトの他の実施例を示す部分平面図。
【図４】２枚の帳票からなるＦＡＸ−ＯＣＲ複写帳票の断面構成を示す図。
【図５】３枚の帳票からなるＦＡＸ−ＯＣＲ複写帳票の断面構成を示す図。
【符号の説明】
１  １枚目の帳票
２    ２枚目の帳票
３  ３枚目の帳票
４  帳票名
５    記入項目名
６  罫線
７  読取用記入枠
８  タイミングマーク
９  発色剤マイクロカプセル層
１０  顕色剤層
【図１】
0003634456.tif 000002
【図２】
0003634456.tif 000003
【図３】
0003634456.tif 000004
【図４】
0003634456.tif 000005
【図５】
0003634456.tif 000006